【手続補正書】
【提出日】平成23年11月2日(2011.11.2)
【手続補正１】
【補正対象書類名】明細書
【補正対象項目名】発明の名称
【補正方法】変更
【補正の内容】
【発明の名称】画像検索装置、画像検索方法及びプログラム
【手続補正２】
【補正対象書類名】明細書
【補正対象項目名】０００１
【補正方法】変更
【補正の内容】
【０００１】
本発明は、画像検索装置、この画像検索装置を用いた画像検索方法及びプログラムに関する。
【手続補正３】
【補正対象書類名】明細書
【補正対象項目名】０００５
【補正方法】変更
【補正の内容】
【０００５】
そこで、本発明の課題は、画像検索をより容易に行うことができる画像検索装置、この画像検索装置を用いた画像検索方法及びプログラムを提供することである。
【手続補正４】
【補正対象書類名】明細書
【補正対象項目名】０００６
【補正方法】変更
【補正の内容】
【０００６】
上記課題を解決するため、請求項１に記載の発明の画像検索装置は、複数の画像を記録する記録手段と、複数の人物の各々について顔画像データと指紋データとを対応付けて記憶するデータ記憶手段と、指の指紋を検出して指紋データを生成する指紋検出手段と、前記指紋検出手段により生成された指紋データと対応付けられて前記データ記憶手段に記憶されている顔画像データを特定する顔画像特定手段と、前記顔画像特定手段により特定された前記顔画像データに係る顔を画像から検出する顔検出手段と、前記記録手段に記録されている複数の画像の各々について、前記顔検出手段により顔が検出された否かを判定する判定手段と、前記判定手段により顔が検出されたと判定された画像を検索結果として出力する出力手段と、を備えることを特徴としている。
【手続補正５】
【補正対象書類名】明細書
【補正対象項目名】０００７
【補正方法】変更
【補正の内容】
【０００７】
請求項２に記載の発明は、更に、前記指紋検出手段は、装置本体の所定位置に設けられた指紋センサを備え、前記指紋センサ上に指が置かれたことを検出する指検出手段を更に備えることを特徴としている。
【手続補正６】
【補正対象書類名】明細書
【補正対象項目名】０００８
【補正方法】変更
【補正の内容】
【０００８】
請求項３に記載の発明は、更に、前記指検出手段により前記指紋センサ上に指が置かれたことが検出されると、前記顔画像特定手段が前記顔画像データを特定する処理、前記判定手段が前記顔検出手段により顔が検出された否かを判定する処理、及び、前記出力手段が前記判定手段により顔が検出されたと判定された画像を検索結果として出力する処理の実行を順次制御する制御手段を更に備えることを特徴としている。
【手続補正７】
【補正対象書類名】明細書
【補正対象項目名】０００９
【補正方法】変更
【補正の内容】
【０００９】
請求項４に記載の発明は、更に、前記指紋センサの所定の検出領域内にて、同時または所定時間内に検出される全ての指紋を、検索対象となる顔を指定するための対象指定用指紋として特定する指紋特定手段を更に備えることを特徴としている。
【手続補正８】
【補正対象書類名】明細書
【補正対象項目名】００１０
【補正方法】変更
【補正の内容】
【００１０】
請求項５に記載の発明は、更に、前記顔画像特定手段は、前記指紋特定手段により前記対象指定用指紋として特定された複数の指紋のうち、少なくとも一の指紋の指紋データと対応付けられている顔画像データを特定し、前記出力手段は、前記顔画像特定手段により特定された顔画像データに係る顔が少なくとも一つ或いは全て検出されたと前記判定手段により判定された画像を検索結果として出力することを特徴としている。
【手続補正９】
【補正対象書類名】明細書
【補正対象項目名】００１１
【補正方法】変更
【補正の内容】
【００１１】
請求項６に記載の発明の画像検索方法は、複数の画像を記録する記録手段と、複数の人物の各々について顔画像データと指紋データとを対応付けて記憶するデータ記憶手段と、を備える画像検索装置に、指の指紋を検出して指紋データを生成する処理と、生成された指紋データと対応付けられて前記データ記憶手段に記憶されている顔画像データを特定する処理と、特定された前記顔画像データに係る顔を前記記録手段に記録されている複数の画像の中から検出する処理と、顔が検出された画像を検索結果として出力する処理と、を実行させることを特徴としている。
【手続補正１０】
【補正対象書類名】明細書
【補正対象項目名】００１２
【補正方法】変更
【補正の内容】
【００１２】
請求項７に記載の発明のプログラムは、複数の画像を記録する記録手段と、複数の人物の各々について顔画像データと指紋データとを対応付けて記憶するデータ記憶手段と、を備える画像検索装置のコンピュータを、指の指紋を検出して指紋データを生成する指紋検出手段、前記指紋検出手段により生成された指紋データと対応付けられて前記データ記憶手段に記憶されている顔画像データを特定する顔画像特定手段、前記顔画像特定手段により特定された前記顔画像データに係る顔を画像から検出する顔検出手段、前記記録手段に記録されている複数の画像の各々について、前記顔検出手段により顔が検出された否かを判定する判定手段、前記判定手段により顔が検出されたと判定された画像を検索結果として出力手段から出力させる出力制御手段、として機能させることを特徴としている。
【手続補正１１】
【補正対象書類名】特許請求の範囲
【補正対象項目名】全文
【補正方法】変更
【補正の内容】
【特許請求の範囲】
【請求項１】
複数の画像を記録する記録手段と、
複数の人物の各々について顔画像データと指紋データとを対応付けて記憶するデータ記憶手段と、
指の指紋を検出して指紋データを生成する指紋検出手段と、
前記指紋検出手段により生成された指紋データと対応付けられて前記データ記憶手段に記憶されている顔画像データを特定する顔画像特定手段と、
前記顔画像特定手段により特定された前記顔画像データに係る顔を画像から検出する顔検出手段と、
前記記録手段に記録されている複数の画像の各々について、前記顔検出手段により顔が検出された否かを判定する判定手段と、
前記判定手段により顔が検出されたと判定された画像を検索結果として出力する出力手段と、
を備えることを特徴とする画像検索装置。
【請求項２】
前記指紋検出手段は、
装置本体の所定位置に設けられた指紋センサを備え、
前記指紋センサ上に指が置かれたことを検出する指検出手段
を更に備えることを特徴とする請求項１に記載の画像検索装置。
【請求項３】
前記指検出手段により前記指紋センサ上に指が置かれたことが検出されると、前記顔画像特定手段が前記顔画像データを特定する処理、前記判定手段が前記顔検出手段により顔が検出された否かを判定する処理、及び、前記出力手段が前記判定手段により顔が検出されたと判定された画像を検索結果として出力する処理の実行を順次制御する制御手段
を更に備えることを特徴とする請求項２に記載の画像検索装置。
【請求項４】
前記指紋センサの所定の検出領域内にて、同時または所定時間内に検出される全ての指紋を、検索対象となる顔を指定するための対象指定用指紋として特定する指紋特定手段
を更に備えることを特徴とする請求項２又は３に記載の画像検索装置。
【請求項５】
前記顔画像特定手段は、
前記指紋特定手段により前記対象指定用指紋として特定された複数の指紋のうち、少なくとも一の指紋の指紋データと対応付けられている顔画像データを特定し、
前記出力手段は、
前記顔画像特定手段により特定された顔画像データに係る顔が少なくとも一つ或いは全て検出されたと前記判定手段により判定された画像を検索結果として出力することを特徴とする請求項４に記載の画像検索装置。
【請求項６】
複数の画像を記録する記録手段と、複数の人物の各々について顔画像データと指紋データとを対応付けて記憶するデータ記憶手段と、を備える画像検索装置に、
指の指紋を検出して指紋データを生成する処理と、
生成された指紋データと対応付けられて前記データ記憶手段に記憶されている顔画像データを特定する処理と、
特定された前記顔画像データに係る顔を前記記録手段に記録されている複数の画像の中から検出する処理と、
顔が検出された画像を検索結果として出力する処理と、
を実行させることを特徴とする画像検索方法。
【請求項７】
複数の画像を記録する記録手段と、複数の人物の各々について顔画像データと指紋デー
タとを対応付けて記憶するデータ記憶手段と、を備える画像検索装置のコンピュータを、
指の指紋を検出して指紋データを生成する指紋検出手段、
前記指紋検出手段により生成された指紋データと対応付けられて前記データ記憶手段に記憶されている顔画像データを特定する顔画像特定手段、
前記顔画像特定手段により特定された前記顔画像データに係る顔を画像から検出する顔検出手段、
前記記録手段に記録されている複数の画像の各々について、前記顔検出手段により顔が検出された否かを判定する判定手段、
前記判定手段により顔が検出されたと判定された画像を検索結果として出力手段から出力させる出力制御手段、
として機能させることを特徴とするプログラム。